(57)【要約】【課題】書込み動作の駆動電圧マージンを狭めることなく書込み放電を安定して発生させることができるプラズマディスプレイパネルの駆動方法を提供する。【解決手段】走査電極と維持電極とからなる表示電極対の隙間のうち１つおきの隙間に表示電極対と平行にプライミング電極を備えたプラズマディスプレイパネルの駆動方法であって、書込み期間は奇数番目の走査電極を有する主放電セルの書込み動作を行う奇数ライン書込み期間と偶数番目の走査電極を有する主放電セルの書込み動作を行う偶数ライン書込み期間とを有し、それぞれの書込み期間において、奇数番目または偶数番目の走査電極に走査パルス電圧Ｖａを順次印加するとともに走査パルス電圧Ｖａを印加された走査電極に隣接するプライミング電極には走査パルス電圧Ｖａの印加に先立ってプライミング電極とデータ電極との間でプライミング放電を発生させるためのプライミングパルス電圧Ｖｐを印加する。【選択図】図５
2006084626.tif 000002
【特許請求の範囲】
【請求項１】
第１の基板上に、走査電極と維持電極とから構成される複数の表示電極対と、
前記第１の基板上の隣り合う前記表示電極対の隙間のうち、１つおきの隙間に前記表示電極対と平行に配置された複数のプライミング電極と、
放電空間を挟んで前記第１の基板に対向配置された第２の基板上に、前記表示電極対と交差する方向に配置された複数のデータ電極とを備え、
前記表示電極対と前記データ電極とが対向して主放電セルを構成し、前記プライミング電極と前記データ電極とが対向してプライミング放電セルを構成したプラズマディスプレイパネルの駆動方法であって、
１フィールドを初期化期間、書込み期間、維持期間を有する複数のサブフィールドで構成し、
前記書込み期間は奇数番目の走査電極を有する主放電セルの書込み動作を行う奇数ライン書込み期間と、偶数番目の走査電極を有する主放電セルの書込み動作を行う偶数ライン書込み期間とを有し、
前記奇数ライン書込み期間において、奇数番目の走査電極に走査パルス電圧を順次印加するとともに、前記走査パルス電圧を印加された走査電極に隣接するプライミング電極には前記走査パルス電圧の印加に先立って前記プライミング電極と前記データ電極との間でプライミング放電を発生させるためのプライミングパルス電圧を印加し、
前記偶数ライン書込み期間において、偶数番目の走査電極に走査パルス電圧を順次印加するとともに、前記走査パルス電圧を印加された走査電極に隣接するプライミング電極には前記走査パルス電圧の印加に先立って前記プライミング電極と前記データ電極との間でプライミング放電を発生させるためのプライミングパルス電圧を印加することを特徴とするプラズマディスプレイパネルの駆動方法。
【請求項２】
前記書込み期間において、走査電極に走査パルス電圧を印加している時間とプライミング電極にプライミングパルス電圧を印加している時間とには重なりがあることを特徴とする請求項１に記載のプラズマディスプレイパネルの駆動方法。
【請求項３】
前記奇数ライン書込み期間と前記偶数ライン書込み期間との間に前記プライミング電極と前記データ電極の間で初期化放電を行う補助初期化期間を設けたことを特徴とする請求項１または請求項２に記載のプラズマディスプレイパネルの駆動方法。
【発明の詳細な説明】
【技術分野】
【０００１】
本発明は、壁掛けテレビや大型モニター等に用いられるプラズマディスプレイパネルの駆動方法に関する。
【背景技術】
【０００２】
プラズマディスプレイパネル（以下、「パネル」と略記する）は、大画面、薄型、軽量であることを特徴とする視認性に優れた表示デバイスである。
【０００３】
パネルとして代表的な交流面放電型パネルは、対向配置された前面板と背面板との間に多数の放電セルが形成されている。前面板は、走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極対とデータ電極とが立体交差するように前面板と背面板とが対向配置されて密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としてはサブフィールド法、すなわち、１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００５】
初期化期間では、すべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるというはたらきをもつ。書込み期間では、走査電極に順次走査パルス電圧を印加するとともに、データ電極には表示すべき画像信号に対応した書込みパルス電圧を印加し、走査電極とデータ電極との間で選択的に書込み放電をおこし、選択的な壁電荷形成を行う。つづく維持期間では、走査電極と維持電極との間に所定の回数の維持パルス電圧を印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルス電圧に高い電圧が使えないこと、データ電極上に形成された蛍光体層が放電をおこり難くしていること等、書込み放電に関しては放電遅れを大きくする要因が多い。したがって、書込み放電を安定して発生させるためのプライミングが非常に重要となる。
【０００７】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足して放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００８】
これらの問題を解決するために、プライミング電極を設けてプライミングを発生させ、放電遅れを小さくするパネルとその駆動方法が提案されている（たとえば特許文献１）。
【特許文献１】特開平９−２４５６２７号公報
【発明の開示】
【発明が解決しようとする課題】
【０００９】
しかしながら上述のパネルにおいては、隣接する放電セルが相互干渉をおこしやすく、特に書込み期間において、隣接する放電セルの書込み放電にともない発生するプライミングの影響を受けて誤書込み、あるいは書込み不良を生じるおそれがあり、そのため書込み動作の駆動電圧マージンが狭くなるという課題があった。
【００１０】
本発明はこれらの課題に鑑みなされたものであり、書込み動作の駆動電圧マージンを狭めることなく書込み放電を安定して発生させることができるプラズマディスプレイパネルの駆動方法を提供することを目的とする。
【課題を解決するための手段】
【００１１】
本発明のパネルの駆動方法は、第１の基板上に走査電極と維持電極とから構成される複数の表示電極対と、第１の基板上の隣り合う表示電極対の隙間のうち１つおきの隙間に表示電極対と平行に配置された複数のプライミング電極と、放電空間を挟んで第１の基板に対向配置された第２の基板上に表示電極対と交差する方向に配置された複数のデータ電極とを備え、表示電極対とデータ電極とが対向して主放電セルを構成し、プライミング電極とデータ電極とが対向してプライミング放電セルを構成したプラズマディスプレイパネルの駆動方法であって、１フィールドを初期化期間、書込み期間、維持期間を有する複数のサブフィールドで構成し、書込み期間は奇数番目の走査電極を有する主放電セルの書込み動作を行う奇数ライン書込み期間と偶数番目の走査電極を有する主放電セルの書込み動作を行う偶数ライン書込み期間とを有し、奇数ライン書込み期間において、奇数番目の走査電極に走査パルス電圧を順次印加するとともに走査パルス電圧を印加された走査電極に隣接するプライミング電極には走査パルス電圧の印加に先立ってプライミング電極とデータ電極との間でプライミング放電を発生させるためのプライミングパルス電圧を印加し、偶数ライン書込み期間において、偶数番目の走査電極に走査パルス電圧を順次印加するとともに走査パルス電圧を印加された走査電極に隣接するプライミング電極には走査パルス電圧の印加に先立ってプライミング電極とデータ電極との間でプライミング放電を発生させるためのプライミングパルス電圧を印加することを特徴とする。この方法により、書込み動作の駆動電圧マージンを狭めることなく書込み放電を安定して発生させることができるプラズマディスプレイパネルの駆動方法を提供することができる。
【００１２】
また、本発明のパネルの駆動方法は、書込み期間において、走査電極に走査パルス電圧を印加している時間とプライミング電極にプライミングパルス電圧を印加している時間とには重なりがあってもよい。この方法により、書込み放電を行いながらプライミング放電も行うので、プライミング放電のための時間をあらたに設ける必要がなく、書込み時間の長さを変えることなく書込み放電を安定して発生させることができる。
【００１３】
また、本発明のパネルの駆動方法は、奇数ライン書込み期間と偶数ライン書込み期間との間にプライミング電極とデータ電極の間で初期化放電を行う補助初期化期間を設けてもよい。この方法により、奇数ライン書込み期間、偶数ライン書込み期間ともに安定したプライミング放電を発生させることができる。
【発明の効果】
【００１４】
本発明によれば、書込み動作の駆動電圧マージンを狭めることなく書込み放電を安定して発生させることができるプラズマディスプレイパネルの駆動方法を提供することができる。
【発明を実施するための最良の形態】
【００１５】
以下、本発明の実施の形態におけるパネルの駆動方法について、図面を用いて説明する。
【００１６】
（実施の形態）
図１は本発明の実施の形態におけるパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンとキセノンとの混合ガスが封入されている。
【００１７】
前面基板２１上には、走査電極２２と維持電極２３とからなる表示電極対が互いに平行に複数対形成されている。このとき、たとえば走査電極２２−維持電極２３の順で構成された表示電極対に隣接する表示電極対は維持電極２３−走査電極２２の順で構成されている。そして、隣接する表示電極対の隙間のうち、走査電極２２が対向する側にはプライミング電極２９が表示電極対と平行に構成されている。したがって、前面基板２１上には、維持電極２３−走査電極２２−プライミング電極２９−走査電極２２−維持電極２３−維持電極２３−走査電極２２−プライミング電極２９−走査電極２２−維持電極２３−・・・となるように配列されている。走査電極２２と維持電極２３は、それぞれ透明電極２２ａ、２３ａとその透明電極２２ａ、２３ａ上に形成された金属母線２２ｂ、２３ｂとから構成されている。走査電極２２−走査電極２２間、および維持電極２３−維持電極２３間には黒色材料からなる光吸収層２８が設けられており、プライミング電極２９は走査電極２２−走査電極２２間に設けられた光吸収層２８上に金属母線を用いて構成されている。そして、これらの走査電極２２、維持電極２３、プライミング電極２９および光吸収層２８とを覆うように誘電体層２４および保護層２５が形成されている。
【００１８】
背面基板３１上には、走査電極２２と交差する方向にデータ電極３２が互いに平行に複数形成され、そしてデータ電極３２を覆うように誘電体層３３が形成されている。そして誘電体層３３の上に主放電セル４０を区画するための隔壁３４が形成されている。
【００１９】
隔壁３４は、データ電極３２と平行な方向に延びる縦壁部３４ａと、主放電セル４０を形成するとともに主放電セル４０の間に隙間部４１を形成する横壁部３４ｂとで構成されている。その結果、隔壁３４は走査電極２２と維持電極２３とからなる一対の表示電極対に沿って主放電セル４０を複数連結した主放電セル行を形成し、隣接した主放電セル行の間に隙間部４１を生じる。隙間部４１のうち、２本の走査電極２２が隣り合う側に位置する隙間部の前面基板２１上にはプライミング電極２９が形成されており、この隙間部はプライミング放電セル４１ａとしてはたらく。すなわち隙間部４１は１つおきにプライミング電極２９を有するプライミング放電セル４１ａとなっている。なお、隙間部４１ｂは２本の維持電極２３が隣り合う側に位置する隙間部である。
【００２０】
そして、これら隔壁３４の頂部は前面基板２１に当接するように平坦に形成されている。これは、隣接する主放電セル４０の相互干渉を防ぐためであり、特に書込み期間において隣接する主放電セル４０の書込み放電にともない発生するプライミングの影響を受けて誤書込みを生じる等の誤動作を防ぐためである。さらには、プライミング放電にともない、プライミング放電セル４１ａに隣接する主放電セル４０の壁電荷が減少し書込み不良を生じる等の誤動作を防ぐためである。
【００２１】
そして、隔壁３４により区画された主放電セル４０に対応する誘電体層３３の表面と隔壁３４の側面とに蛍光体層３５が設けられている。なお、図１では隙間部４１側に蛍光体層３５を形成していないが、蛍光体層３５を形成する構成としてもよい。
【００２２】
なお、上述の説明ではデータ電極３２を覆うように誘電体層３３が形成されているが、この誘電体層３３は形成しなくてもよい。
【００２３】
図３は本発明の実施の形態におけるパネルの電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とｎ／２行のプライミング電極ＰＲ１〜ＰＲｎ−１（図１のプライミング電極２９）とが維持電極ＳＵ１−走査電極ＳＣ１−プライミング電極ＰＲ１−走査電極ＳＣ２−維持電極ＳＵ２−維持電極ＳＵ３−走査電極ＳＣ３−プライミング電極ＰＲ３−走査電極ＳＣ４−維持電極ＳＵ４−・・・となるように配列されている。そして、一対の走査電極ＳＣｉ、維持電極ＳＵｉ（ｉ＝１〜ｎ）と１つのデータ電極Ｄｊ（ｊ＝１〜ｍ）とを含む主放電セルＣｉ，ｊ（図１の主放電セル４０）が放電空間内にｍ×ｎ個形成さている。またプライミング電極ＰＲｐ（ｐは奇数）とデータ電極Ｄ１〜Ｄｍとを含むプライミング放電セルＰＳｐ（図１のプライミング放電セル４１ａ）が放電空間内にｎ／２個形成されている。そして詳細は後述するが、書込み期間においてこのプライミング放電セルＰＳｐで発生したプライミングは、プライミング放電セルＰＳｐに隣接する主放電セルＣｐ，１〜Ｃｐ，ｍ、Ｃｐ＋１，１〜Ｃｐ＋１，ｍに供給される。
【００２４】
図４は、本発明の実施の形態におけるパネルを用いたプラズマディスプレイ装置の回路構成の一例を示すブロック図である。ディスプレイ装置１００は、画像信号処理回路１０１、データ電極駆動回路１０２、タイミング制御回路１０３、走査電極駆動回路１０４、維持電極駆動回路１０５およびプライミング電極駆動回路１０６を有している。画像信号および同期信号は、画像信号処理回路１０１に入力される。画像信号処理回路１０１は、画像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５、プライミング電極駆動回路１０６にタイミング制御信号を出力する。
【００２５】
データ電極駆動回路１０２は、サブフィールド信号およびタイミング制御信号に応じて、パネル１０のデータ電極３２（図３のデータ電極Ｄ１〜Ｄｍ）に所定の駆動波形電圧を印加する。走査電極駆動回路１０４はタイミング制御信号に応じてパネル１０の走査電極２２（図３の走査電極ＳＣ１〜ＳＣｎ）に所定の駆動波形電圧を印加し、維持電極駆動回路１０５はタイミング制御信号に応じてパネル１０の維持電極２３（図３の維持電極ＳＵ１〜ＳＵｎ）に所定の駆動波形電圧を印加する。プライミング電極駆動回路１０６はタイミング制御信号に応じてパネル１０のプライミング電極２９（図３のプライミング電極ＰＲ１〜ＰＲｎ−１）に所定の駆動波形電圧を印加する。データ電極駆動回路１０２、走査電極駆動回路１０４、維持電極駆動回路１０５、プライミング電極駆動回路１０６には電源回路（図示せず）から必要な電力が供給されている。
【００２６】
つぎに、パネルを駆動するための駆動波形とそのタイミングについて、パネルの動作とともに説明する。図５は、本発明の実施の形態におけるパネルの駆動波形図である。なお本発明の実施の形態においては、１フィールド期間が初期化期間、書込み期間、維持期間を有する複数のサブフィールドから構成されており、書込み期間は、奇数番目の走査電極（以下、「奇数走査電極」と略記する）をもつ主放電セルの書込み動作を行う奇数ライン書込み期間と、偶数番目の走査電極（以下、「偶数走査電極」と略記する）をもつ主放電セルの書込み動作を行う偶数ライン書込み期間とを有し、奇数走査電極と偶数走査電極との書込み動作を時間的に分離して行う。そしてプライミング放電セルに関しては、奇数ライン書込み期間および偶数ライン書込み期間の前にそれぞれ初期化動作を行う。また、最初のサブフィールドの初期化期間は画像表示にかかわるすべての主放電セルで初期化放電を発生させる全セル初期化動作を行い、２番目以降のサブフィールドはその直前のサブフィールドの維持期間で維持放電を行った主放電セルに対して選択的に初期化放電を発生させる選択初期化動作を行うものとして説明する。全セル初期化期間を便宜上２つに分けて前半部、後半部と呼ぶことにする。
【００２７】
最初のサブフィールドの初期化期間前半部では、データ電極Ｄ１〜Ｄｍ、維持電極ＳＵ１〜ＳＵｎをそれぞれ０（Ｖ）に保持し、走査電極ＳＣ１〜ＳＣｎには電圧Ｖｉ１から、維持電極ＳＵ１〜ＳＵｎおよびデータ電極Ｄ１〜Ｄｍに対して放電開始電圧を超える電圧Ｖｉ２に向かって緩やかに上昇する傾斜波形電圧を印加する。また、プライミング電極ＰＲ１〜ＰＲｎ−１にも走査電極ＳＣ１〜ＳＣｎと同様の傾斜波形電圧を印加する。すると、主放電セルＣｉ，ｊ内部では、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電がおこり、プライミング放電セル内部では、プライミング電極ＰＲ１〜ＰＲｎ−１とデータ電極Ｄ１〜Ｄｍとの間でそれぞれ微弱な初期化放電がおこる。そして、走査電極ＳＣ１〜ＳＣｎ上部およびプライミング電極ＰＲ１〜ＰＲｎ−１上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上あるいは蛍光体層上に蓄積された壁電荷により生じる電圧をあらわす。
【００２８】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎおよびデータ電極Ｄ１〜Ｄｍに対して放電開始電圧以下となる電圧Ｖｉ３から放電開始電圧を超える電圧Ｖｉ４に向かって緩やかに下降する傾斜波形電圧を印加する。また、プライミング電極ＰＲ１〜ＰＲｎ−１にも走査電極ＳＣ１〜ＳＣｎと同様の傾斜波形電圧を印加する。すると、走査電極ＳＣ１〜ＳＣｎと維持電極ＳＵ１〜ＳＵｎ、走査電極ＳＣ１〜ＳＣｎとデータ電極Ｄ１〜Ｄｍ、プライミング電極ＰＲ１〜ＰＲｎ−１とデータ電極Ｄ１〜Ｄｍとの間でそれぞれ微弱な初期化放電がおこる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ−１上部の壁電圧もプライミング動作に適した値に調整される。以上により画像表示にかかわる全放電セルを初期化放電させる全セル初期化動作が終了する。
【００２９】
奇数ライン書込み期間では、走査電極ＳＣ１〜ＳＣｎおよびプライミング電極ＰＲ１〜ＰＲｎ−１を一旦電圧Ｖｃに保持する。これは、後述する書込みパルス電圧Ｖｄの印加にともなって不要な放電を発生させないためである。そして、１行目のプライミング電極ＰＲ１に負のプライミングパルス電圧Ｖｐを印加する。このときのプライミングパルス電圧は振幅の大きなパルスであり、データ電極Ｄ１〜Ｄｍに印加される書込みパルス電圧の有無にかかわらず、プライミング電極ＰＲ１とデータ電極Ｄ１〜Ｄｍとの間でプライミング放電が発生する。そして、１行目の主放電セルＣ１，１〜Ｃ１，ｍ内部にプライミングを供給する。この放電によってプライミング電極ＰＲ１上部には正の壁電圧が蓄積される。
【００３０】
つぎに、１行目の走査電極ＳＣ１に負の走査パルス電圧Ｖａを印加する。このとき同時に、データ電極Ｄ１〜Ｄｍのうち１行目に表示すべき画像信号に対応するデータ電極Ｄｋ（ｋは１〜ｍの整数をあらわす）に正の書込みパルス電圧Ｖｄを印加する。すると、書込みパルス電圧Ｖｄを印加したデータ電極Ｄｋと走査電極ＳＣ１との交差部で放電が発生し、対応する主放電セルＣ１，ｋの維持電極ＳＵ１と走査電極ＳＣ１との間の放電に進展する。そして、主放電セルＣ１，ｋの走査電極ＳＣ１上部に正の壁電圧が蓄積され、維持電極ＳＵ１上部に負の壁電圧が蓄積され、１行目の書込み動作が終了する。ここで、主放電セルＣ１，ｋの書込み放電は、プライミング電極ＰＲ１とデータ電極Ｄ１〜Ｄｍとの間で発生したプライミング放電からプライミングが供給された直後に発生するので放電遅れが小さく安定した放電となる。
【００３１】
また、１行目の走査電極ＳＣ１に走査パルス電圧Ｖａを印加すると同時に、プライミング電極ＰＲ３にプライミングパルス電圧Ｖｐを印加する。するとデータ電極Ｄ１〜Ｄｍに印加される書込みパルス電圧の有無にかかわらず、プライミング電極ＰＲ３とデータ電極Ｄ１〜Ｄｍとの間でプライミング放電が発生する。そして、３行目の主放電セルＣ３，１〜Ｃ３，ｍ内部にプライミングを供給する。この放電によってプライミング電極ＰＲ３上部に正の壁電圧が蓄積される。
【００３２】
つぎに、３行目の走査電極ＳＣ３に走査パルス電圧Ｖａを印加する。このとき同時に、データ電極Ｄ１〜Ｄｍのうち３行目に表示すべき画像信号に対応するデータ電極Ｄｋに正の書込みパルス電圧Ｖｄを印加する。すると、データ電極Ｄｋと走査電極ＳＣ３との交差部で放電が発生し、対応する主放電セルＣ３，ｋの維持電極ＳＵ３と走査電極ＳＣ３との間の放電に進展する。そして、主放電セルＣ３，ｋの走査電極ＳＣ３上部に正の壁電圧が蓄積され、維持電極ＳＵ３上部に負の壁電圧が蓄積され、３行目の書込み動作が終了する。ここでの、主放電セルＣ３，ｋの書込み放電も、プライミング電極ＰＲ３とデータ電極Ｄ１〜Ｄｍとの間で発生したプライミング放電からプライミングが供給された直後に発生するので放電遅れが小さく安定した放電となる。
【００３３】
また、３行目の走査電極ＳＣ３に走査パルス電圧Ｖａを印加すると同時に、プライミング電極ＰＲ５にプライミングパルス電圧Ｖｐを印加してプライミング放電を発生させる。そして、５行目の主放電セルＣ５，１〜Ｃ５，ｍ内部にプライミングを供給する。
【００３４】
以下同様の書込み動作を奇数番目の最後の主放電セルＣｎ−１，ｋに至るまで行い、書込み動作を終了する。そして、それぞれの主放電セルＣｉ，ｊの書込み放電は、隣接するプライミング放電セルからプライミングが供給された直後に発生するので、放電遅れの小さい安定した放電となる。
【００３５】
つぎに、プライミング放電セルを再び初期化する。以下、この期間を補助初期化期間と記する。補助初期化期間では、維持電極ＳＵ１〜ＳＵｎを電圧Ｖｅに、走査電極ＳＣ１〜ＳＣｎを電圧Ｖｃにそれぞれ保ったまま、プライミング電極ＰＲ１〜ＰＲｎ−１には電圧Ｖｓを印加する。すると、プライミング電極ＰＲ１〜ＰＲｎ−１とデータ電極Ｄ１〜Ｄｍとの間でそれぞれ放電がおこり、プライミング電極ＰＲ１〜ＰＲｎ−１上部には負の壁電圧、データ電極Ｄ１〜Ｄｍ上部には正の壁電圧がそれぞれ蓄積される。
【００３６】
つぎに、初期化期間後半部と同様の傾斜波形電圧を印加する。すると、プライミング電極ＰＲ１〜ＰＲｎ−１とデータ電極Ｄ１〜Ｄｍとの間でそれぞれ再び微弱な初期化放電がおこる。そして、データ電極Ｄ１〜Ｄｍ上部の正の壁電圧は書込み動作に適した値に調整され、プライミング電極ＰＲ１〜ＰＲｎ−１上部の壁電圧もプライミング動作に適した値に調整される。
【００３７】
つづく偶数ライン書込み期間では、プライミング電極ＰＲ１〜ＰＲｎ−１を一旦電圧Ｖｃに保持した後、プライミング電極ＰＲ１に負のプライミングパルス電圧Ｖｐを印加する。するとデータ電極Ｄ１〜Ｄｍに印加される書込みパルス電圧の有無にかかわらず、プライミング電極ＰＲ１とデータ電極Ｄ１〜Ｄｍとの間でプライミング放電が発生する。そして、２行目の主放電セルＣ２，１〜Ｃ２，ｍ内部にプライミングを供給する。この放電によってプライミング電極ＰＲ１上部には正の壁電圧が蓄積される。
【００３８】
つぎに、２行目の走査電極ＳＣ２に負の走査パルス電圧Ｖａを印加する。このとき同時に、データ電極Ｄ１〜Ｄｍのうち２行目に表示すべき画像信号に対応するデータ電極Ｄｋに正の書込みパルス電圧Ｖｄを印加する。すると、書込みパルス電圧Ｖｄを印加したデータ電極Ｄｋと走査電極ＳＣ２との交差部で放電が発生し、対応する主放電セルＣ２，ｋの維持電極ＳＵ２と走査電極ＳＣ２との間の放電に進展する。そして、主放電セルＣ２，ｋの走査電極ＳＣ２上部に正の壁電圧が蓄積され、維持電極ＳＵ２上部に負の壁電圧が蓄積され、２行目の書込み動作が終了する。ここで、主放電セルＣ２，ｋの書込み放電は、プライミング電極ＰＲ１とデータ電極Ｄ１〜Ｄｍとの間で発生したプライミング放電からプライミングが供給された直後に発生するので放電遅れが小さく安定した放電となる。
【００３９】
また、２行目の走査電極ＳＣ２に走査パルス電圧Ｖａを印加すると同時に、プライミング電極ＰＲ３にプライミングパルス電圧Ｖｐを印加する。するとデータ電極Ｄ１〜Ｄｍに印加される書込みパルス電圧の有無にかかわらず、プライミング電極ＰＲ３とデータ電極Ｄ１〜Ｄｍとの間でプライミング放電が発生する。そして、４行目の主放電セルＣ４，１〜Ｃ４，ｍ内部にプライミングを供給する。この放電によってプライミング電極ＰＲ３上部に正の壁電圧が蓄積される。
【００４０】
つぎに、４行目の走査電極ＳＣ４に走査パルス電圧Ｖａを印加する。このとき同時に、データ電極Ｄ１〜Ｄｍのうち４行目に表示すべき画像信号に対応するデータ電極Ｄｋに正の書込みパルス電圧Ｖｄを印加する。すると、データ電極Ｄｋと走査電極ＳＣ４との交差部で放電が発生し、対応する主放電セルＣ４，ｋの維持電極ＳＵ４と走査電極ＳＣ４との間の放電に進展する。そして、主放電セルＣ４，ｋの走査電極ＳＣ４上部に正の壁電圧が蓄積され、維持電極ＳＵ４上部に負の壁電圧が蓄積され、４行目の書込み動作が終了する。ここでの、主放電セルＣ４，ｋの書込み放電も、プライミング電極ＰＲ３とデータ電極Ｄ１〜Ｄｍとの間で発生したプライミング放電からプライミングが供給された直後に発生するので放電遅れが小さく安定した放電となる。
【００４１】
また、４行目の走査電極ＳＣ４に走査パルス電圧Ｖａを印加すると同時に、プライミング電極ＰＲ５にプライミングパルス電圧Ｖｐを印加する。このときのプライミングパルス電圧Ｖｐも振幅の大きなパルスであり、データ電極Ｄ１〜Ｄｍに印加される書込みパルス電圧の有無にかかわらず、プライミング電極ＰＲ５とデータ電極Ｄ１〜Ｄｍとの間でプライミング放電が発生する。そして、５行目の主放電セルＣ５，１〜Ｃ５，ｍ内部にプライミングを供給する。
【００４２】
以下同様の書込み動作を偶数番目の最後の主放電セルＣｎ，ｋに至るまで行い、書込み動作を終了する。そして、それぞれの主放電セルＣｉ，ｊの書込み放電は、隣接するプライミング放電セルからプライミングが供給された直後に発生するので、放電遅れの小さい安定した放電となる。
【００４３】
維持期間においては、走査電極ＳＣ１〜ＳＣｎ、プライミング電極ＰＲ１〜ＰＲｎ−１および維持電極ＳＵ１〜ＳＵｎを０（Ｖ）に一旦戻す。その後、走査電極ＳＣ１〜ＳＣｎに正の維持パルス電圧Ｖｓを印加する。このとき、書込み放電をおこした主放電セルＣｉ，ｊにおける走査電極ＳＣｉ上部と維持電極ＳＵｉ上部との間の電圧は、維持パルス電圧Ｖｓに加えて、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルス電圧を交互に印加することにより、書込み放電をおこした主放電セルＣｉ，ｊに対して維持パルスの回数だけ維持放電が継続して行われる。
【００４４】
なお、プライミング電極ＰＲ１〜ＰＲｎ−１には図５に示すように走査電極ＳＣ１〜ＳＣｎと同様の維持パルス電圧が印加される。書込み期間においてプライミング電極ＰＲ１〜ＰＲｎ−１上部には正の壁電圧が蓄積しているので、最初の維持パルス電圧印加時にはプライミング放電セル内部で放電が発生するが、それ以降は放電は発生しない。
【００４５】
つづくサブフィールドの初期化期間では、維持電極ＳＵ１〜ＳＵｎを正電圧Ｖｅに保ち、走査電極ＳＣ１〜ＳＣｎとプライミング電極ＰＲ１〜ＰＲｎ−１には電圧Ｖｉ４に向かって緩やかに下降する傾斜波形電圧を印加する。すると、維持放電を行った主放電セルＣｉ，ｋの走査電極ＳＣ１〜ＳＣｎと維持電極ＳＵ１〜ＳＵｎ、データ電極Ｄ１〜Ｄｍとの間、およびプライミング電極ＰＲ１〜ＰＲｎ−１とデータ電極Ｄ１〜Ｄｍとの間でそれぞれ微弱な初期化放電がおこる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整され、プライミング電極ＰＲ１〜ＰＲｎ−１上部の正の壁電圧もプライミング動作に適した値に調整される。
【００４６】
この後の奇数ライン書込み期間、補助初期化期間、偶数ライン書込み期間、維持期間、およびつづくサブフィールドの駆動波形とパネルの動作は上述と同様である。
【００４７】
上述のように、奇数ライン書込み期間および偶数ライン書込み期間における主放電セルの書込み放電は、それぞれの主放電セルに隣接するプライミング放電セルからプライミングが供給された直後に発生するので放電遅れの小さい安定した放電となる。また、奇数ライン書込み期間、偶数ライン書込み期間および維持期間の最初の維持パルス電圧印加時にプライミング放電セル内部で画像表示に関係しない放電が発生するが、プライミング放電セルには光吸収層２８が設けてあるので、このときに発生する発光がパネル外部に漏れることはない。
【００４８】
また、走査電極ＳＣｐ−１に走査パルス電圧を印加している時間とプライミング電極ＰＲｐにプライミングパルス電圧を印加している時間とには重なりがあるので、１行目のプライミング放電を除いて、プライミング放電のための時間をあらたに設ける必要がない。実施の形態においては、走査電極ＳＣｐ−１とデータ電極Ｄｋとの間で書込み放電を発生させると同時にプライミング電極ＰＲｐとデータ電極Ｄ１〜Ｄｍとの間でプライミング放電を発生させることにより、パネルの駆動時間を延ばすことなくプライミング放電を発生させることが可能となっている。
【００４９】
なお、上述の動作説明においては、最初のサブフィールドの初期化期間はすべての主放電セルで初期化放電を行う全セル初期化動作を行い、つぎのサブフィールド以降の初期化期間は維持放電を行った主放電セルを選択的に初期化する選択初期化動作を行うものとして説明したが、これらの初期化動作は任意に組み合わせてもよい。
【００５０】
また、各電極に印加される駆動波形電圧についてはパネルの特性や駆動条件により最適に設定することが望ましい。図６に、他の実施の形態におけるパネルの駆動波形電圧を示す。図６に示した駆動波形の特徴は、維持期間においてプライミング電極に最初に印加される維持パルス電圧の振幅を大きくして、プライミング放電セルの動作を安定させ、さらに、プライミングパルス電圧Ｖｐを走査パルス電圧Ｖａと等しく設定できるように、初期化期間後半部においてプライミング電極に印加する駆動波形を工夫している。
【００５１】
具体的には、プライミング電極ＰＲ１〜ＰＲｎ−１にも走査電極ＳＣ１〜ＳＣｎと同様の傾斜波形電圧を印加するが、図６に示すように、電圧Ｖｉ４に至る以前の電圧Ｖｉｐまでしか電圧を低下させない。そして、つづく書込み期間では、プライミング電極ＰＲ１〜ＰＲｎ−１を一旦電圧Ｖｃ’に保持する。電圧Ｖｃ’は電圧Ｖｉｐに書込みパルス電圧Ｖｄを加算した値にほぼ等しく、これは、書込みパルス電圧Ｖｄの印加にともなって不要な放電を発生させないためである。そして、プライミング電極ＰＲ１に負のプライミングパルス電圧Ｖｐ’を印加する。このときプライミング電極ＰＲ１〜ＰＲｎ−１上部には初期化期間に形成された大きな負の壁電圧が残っているために、プライミングパルス電圧Ｖｐ’の電圧を走査パルス電圧Ｖａと等しい電圧に設定することができる。そのため電源の共有化が可能となり回路構成を簡素化することができる。
【００５２】
維持期間においては、プライミング電極ＰＲ１〜ＰＲｎ−１にも走査電極ＳＣ１〜ＳＣｎと同様の維持パルス電圧が印加されるが、最初の維持パルス電圧Ｖｓ’は維持パルス電圧Ｖｓよりも大きい電圧に設定されている。また、補助初期化期間においてプライミング電極ＰＲ１〜ＰＲｎ−１に印加する電圧も電圧Ｖｓ’に設定されている。この理由は以下の通りである。書込み期間において、プライミング電極ＰＲｐとデータ電極Ｄ１〜Ｄｍとの間でプライミング放電を発生させるが、このとき、データ電極Ｄ１〜Ｄｍの中には書込みパルス電圧Ｖｄの印加されているものと、印加されていないものとが混在している。そして、プライミング放電の後、書込みパルス電圧Ｖｄの印加されなかったデータ電極Ｄ１〜Ｄｍ上部の壁電圧は書込みパルス電圧Ｖｄの印加されたデータ電極Ｄ１〜Ｄｍ上部の壁電圧よりも小さくなっている可能性がある。そこで、この壁電圧がたとえ小さい場合であっても確実に放電を発生させることができるように、最初の維持パルスの電圧を大きく設定している。
【産業上の利用可能性】
【００５３】
本発明は、書込み動作の駆動電圧マージンを狭めることなく書込み放電を安定して発生させることができるので、壁掛けテレビや大型モニター等に用いられるパネルの駆動方法として有用である。
【図面の簡単な説明】
【００５４】
【図１】本発明の実施の形態におけるパネルの構造を示す分解斜視図
【図２】同パネルの断面図
【図３】同パネルの電極配列図
【図４】同パネルを用いたプラズマディスプレイ装置の回路の構成の一例を示すブロック図
【図５】同パネルの駆動波形図
【図６】本発明の他の実施の形態におけるパネルの駆動波形図
【符号の説明】
【００５５】
２１    前面基板
２２    走査電極
２３    維持電極
２４    誘電体層
２５    保護層
２８    光吸収層
２９    プライミング電極
３１    背面基板
３２    データ電極
３３    誘電体層
３４    隔壁
３５    蛍光体層
４０    主放電セル
４１    隙間部
４１ａ    プライミング放電セル
【図１】
2006084626.tif 000003
【図２】
2006084626.tif 000004
【図３】
2006084626.tif 000005
【図４】
2006084626.tif 000006
【図５】
2006084626.tif 000007
【図６】
2006084626.tif 000008